(57)【要約】      （修正有）【課題】頭髪または頭皮に付着された異物を除去しながら同時に頭髪または頭皮をマッサージすることができるシャワー器の付着キャップユニットを提供する。【解決手段】一面に形成された複数個の噴射ホールを通じて水を噴出するシャワー器のヘッドの外側面を囲むヘッド固定部２０と、上記のヘッド固定部２０の下段に弾性力を有する軟性材質で形成されて、先端の縁部分が上記の噴射ホールが形成されたシャワー器のヘッドの一面より下側に長く形成されて頭皮に密着される頭皮接触部３０と、ヘッド固定部２０に具備された排水管４０と、上記の排水管４０に連結されてシャワー器のヘッドの噴射ホールから排出された水を外部に案内するホース４１と、上記の噴射ホールが形成されたシャワー器のヘッドの一面に付着された弾性突起を含めて構成される。【選択図】図５
0003204945.tif 000002
【実用新案登録請求の範囲】
【請求項１】
一面に形成された複数個の噴射ホールを通じて水を噴出するシャワー器のヘッドの外側面を囲んで、下段の縁部分が前記噴射ホールが形成されたシャワー器のヘッドの一面より下側に位置されるヘッド固定部と；
前記ヘッド固定部の下段に弾性力を有する軟性材質で形成されて、先端の縁部分が頭皮に密着される頭皮接触部と；
前記ヘッド固定部の一側面に突出具備されて、噴射ホールが形成されたシャワー器のヘッドの一面より下の部分に具備される排水管；を含めて構成されるシャワー器の付着キャップユニット。
【請求項２】
前記排水管にはホースが連結されて、前記シャワー器のヘッドの噴射ホールから排出された水が案内される請求項１に記載のシャワー器の付着キャップユニット。
【請求項３】
前記噴射ホールが形成されたシャワー器のヘッドの一面に付着された弾性突起；をさらに含めて構成される請求項１または２に記載のシャワー器の付着キャップユニット。
【請求項４】
前記頭皮接触部の内側面には頭皮接触部が頭皮に密着される際に、頭皮に接触される複数個の接触突起が互いに離隔されるように形成される請求項１から３のいずれか一項に記載のシャワー器の付着キャップユニット。
【請求項５】
前記ヘッド固定部の内部を横切って設置されるシャフトと；
前記シャフトに設置されて、前記排水管に近いところに設置されて排水管に排出される水の圧力で回転することによってシャフトを回転させるプロペラと；
前記シャフトに設置されてシャフトが回転する際に、一緒に回転する回転突起；をさらに含めて構成される請求項１から４のいずれか一項に記載のシャワー器の付着キャップユニット。
【考案の詳細な説明】
【技術分野】
【０００１】
本考案はシャワー器の付着キャップに関するものであり、特に頭髪または頭皮に付着された異物を除去しながら同時に頭髪または頭皮をマッサージすることができるシャワー器の付着キャップユニットに関するものである。
【背景技術】
【０００２】
一般的にシャワー器は冷水または温水を噴射するじょうろの形状の噴射装置であって、化粧室、流し台、浴槽などのような家庭用及びボディーシャワー器、ウォーターフォール、軟水器、浴槽などのような業務用などに広く利用される。
【０００３】
このようなシャワー器は給水管に連結されたホースの端部にハンドルが連結されて、このハンドルの一端に複数個の噴射口が形成されたヘッドが具備されて水を複数の筋に細く噴射させる構造を有している。
【０００４】
近年では水を噴射して使用者の身体を洗浄するだけでなく、水圧を利用して使用者の皮膚を打撃することによってマッサージをするような効果を具現するシャワー器が提示されている。このような水圧によるシャワー器はマッサージ効果を具現するために強い水圧を発生させるため、多くの量の水が無駄にされるとともに、強い水圧で流体を噴射させるための施設が追加的に設置される必要があるので、設置費用及び維持費用が発生する問題があった。
【考案の概要】
【考案が解決しようとする課題】
【０００５】
本考案は上記の従来技術の問題点を解決するために案出されたものであって、簡単な構造でシャワー器のヘッドに脱着可能に設置したりまたは当初からシャワー器のヘッドに付着された形態で製作してシャワー器のヘッドから噴射される水で頭髪または頭皮に付着された異物を除去しながら同時に突起で頭髪または頭皮をマッサージして、シャワー器のヘッドから噴射される水が不要な場所に流れ落ちて、頭を洗浄する人の肩やボディーなどを濡らすことを防止することができるシャワー器の付着キャップユニットを提供することにその目的がある。
【課題を解決するための手段】
【０００６】
上記の課題を解決するための本考案によるシャワー器の付着キャップユニットは一面に形成された複数個の噴射ホールを通じて水を噴出するシャワー器のヘッドの外側面を囲むヘッド固定部と；前記ヘッド固定部の下段に弾性力を有する軟性材質で形成されて、先端の縁部分が前記噴射ホールが形成されたシャワー器のヘッドの一面より下側に長く形成されて頭皮に密着される頭皮接触部と；前記ヘッド固定部に具備された排水管と；前記排水管に連結されてシャワー器のヘッドの噴射ホールから排出された水を外部に案内するホース；を含めて構成される。
【０００７】
ここで、上記のシャワー器のヘッドの一面には弾性突起を付着したり、上記の頭皮接触部の内側面に複数個の接触突起を形成させることができる。
【０００８】
また、本考案によるシャワー器の付着キャップユニットは一面に形成された複数個の噴射ホールを通じて水を噴出するシャワー器のヘッドの外側面を囲むヘッド固定部と；前記ヘッド固定部の下段に弾性力を有する軟性材質で形成されて、先端の縁部分が前記噴射ホールが形成されたシャワー器のヘッドの一面より下側に長く形成されて頭皮に密着される頭皮接触部と；前記ヘッド固定部または頭皮接触部のいずれかに具備された排水管と；前記排水管に連結されてシャワー器のヘッドの噴射ホールから排出された水を外部に案内するホースと；前記ヘッド固定部と内部を横切って設置されるシャフトと；前記シャフトに設置されて、前記排水管に近いところに設置されて排水管に排出される水の圧力で回転することによってシャフトを回転させるプロペラと；前記シャフトに設置されてシャフトが回転する際に、一緒に回転する回転突起；で構成されることができる。
【考案の効果】
【０００９】
上記のように構成される本考案のシャワー器の付着キャップユニットは頭皮接触部を頭皮に密着させれば、水が不要な場所に流れることを防ぐことができるだけでなく、排水管に水が流れるように誘導することができるメリットがある。
【００１０】
また、頭皮接触部を頭皮上にあちこちに動かすことによって、頭皮に付着された異物を除去できるだけでなく弾性突起や接触突起または回転突起で頭皮を指圧またはマッサージする効果を得ることができるメリットがある。
【００１１】
また、染色薬を洗浄する場合には、毒性のある染色薬が目と耳、顔などにはねることを防止することができるメリットがある。
【００１２】
また、石鹸や染色薬などを洗浄する場合に用いられる水の量を節減することができるだけでなく、用いられる水の量が節減されることによって、冬にその水を加熱するために用いられるエネルギーを節約することができるメリットがある。
【図面の簡単な説明】
【００１３】
【図１】図１は、本考案によるシャワー器の付着キャップの一実施例がシャワー器のヘッドに付着される過程を示した斜視図である。
【図２】図２は、図１に示されたシャワー器の付着キャップがシャワー器のヘッドに付着された様子を示した斜視図である。
【図３】図３は、図２に示されたシャワー器の付着キャップの一側に水を排出する様子を示した図である。
【図４】図４は、本考案によるシャワー器の付着キャップに排水溝が形成された様子を示した図である。
【図５】図５は、本考案によるシャワー器の付着キャップに排水管が具備された様子を示した図である。
【図６】図６は、本考案によるシャワー器の付着キャップに具備された回転突起の様子を示した図である。
【図７】図７は、図６に示されたシャワー器の付着キャップの断面図である。
【図８】図８は、本考案によるシャワー器の付着キャップに付着された弾性突起の様子を示した図である。
【考案を実施するための形態】
【００１４】
以下、本考案によるシャワー器の付着キャップの実施例を添付された図面を参考にして詳細に説明する。
【００１５】
図１は本考案によるシャワー器の付着キャップの一実施例がシャワー器のヘッドに付着される過程を示した斜視図であり、図２は図１に示されたシャワー器の付着キャップがシャワー器のヘッドに付着された様子を示した斜視図であって、図３は図２に示されたシャワー器の付着キャップの一側に水を排出する様子を示した図である。
【００１６】
そして、図４は本考案によるシャワー器の付着キャップに排水溝が形成された様子を示した図であり、図５は本考案によるシャワー器の付着キャップに排水管が具備された様子を示した図である。
【００１７】
また、図６は本考案によるシャワー器の付着キャップに具備された回転突起の様子を示した図であって、図７は図６に示されたシャワー器の付着キャップの断面図である。
【００１８】
また、図８は本考案によるシャワー器の付着キャップに付着された弾性突起の様子を示した図である。
【００１９】
本考案によるシャワー器の付着キャップユニットは頭髪と頭皮Ａに付着されている異物を除去しながら同時に指圧またはマッサージ効果を得るためのものであって、シャワー器のヘッド１０の外側面を囲むヘッド固定部２０と、上記のヘッド固定部２０の下段に形成される頭皮接触部３０と、上記のヘッド固定部２０または頭皮接触部３０のいずれかの一つに具備された排水管４０を含めて構成される。
【００２０】
上記のシャワー器のヘッド１０は周知しているように、一面に複数個の噴射ホール１１が形成されて、この噴射ホール１１が薄い複数の筋で水を噴射する。
【００２１】
上記のヘッド固定部２０は上記のシャワー器のヘッド１０の外側面を囲んで、上側には水が漏れないように上段がシャワー器のヘッド１０の外側面に密着されて、下段は開放される。このようなヘッド固定部２０は硬質の合成樹脂材で構成されることもでき、軟質の合成樹脂材質で構成されることもできる。そして、上記のヘッド固定部２０はその下段の縁部分が上記の噴射ホール１１が形成されたシャワー器のヘッド１０の一面より下側に位置される。また、上記のヘッド固定部２０は当初から上記のシャワー器のヘッド１０の外側面に内側面が密着されるように製造することができ、別に製作してシャワー器のヘッド１０に脱付着ができるようにすることもできる。
【００２２】
上記の頭皮接触部３０は上記のヘッド固定部２０の下段にシリコーンのような弾性力を有する軟質の合成樹脂材質に形成されるものとして、美容室や理髪店などで、髪の毛を洗浄する人々の頭（頭皮）部分に密着される。したがって、頭皮接触部３０は軟性材質で製造されるため、一定な圧力を加えると、頭皮接触部３０が頭皮Ａと密着されてこれによってシャワー器のヘッド１０の噴射ホール１１で水が髪の毛を洗浄する人の肩の部分やボディーの部分などを濡らすことを防止することができる。さらに詳述すれば、上記の頭皮接触部３０は下段の縁部分が上記の噴射ホール１１が形成されたシャワー器のヘッド１０の一面より下側に長く形成されて下段の縁部分が頭皮Ａに密着されるため、頭皮Ａと噴射ホール１１が形成されたシャワー器のヘッド１０の一面の間には頭皮接触部３０によって一定な空間が形成される。
【００２３】
上記の排水管４０は上記のヘッド固定部２０の一側面に突出具備されて、噴射ホール１１が形成されたシャワー器のヘッド１０の一面より下の部分に具備される。したがって、ヘッド固定部１０はシャワー器のヘッド１０を囲みながら、同時に下段の縁部分が噴射ホール１１が形成されたシャワー器のヘッド１０の一面より下側に位置されるので、シャワー器のヘッド１０の外側面に接触される部分と接触されない部分に分けられる。この中で、シャワー器のヘッド１０の一面より下の部分、つまり、シャワー器のヘッド２０の外側面に接触されていないヘッド固定部２０の下側部分に排水管４０が具備されることである。この排水管４０にはたわみや折曲が自由なホース４１が着脱できるように連結されて排水管４０を通じて排出される水がホース４１を通じて特定の位置に案内される。本考案によるシャワー器の付着キャップユニットを用いる際に人々の頭の部分に頭皮接触部３０を強固に密着させるようになるので、このようになればヘッド固定部２０と頭皮接触部３０の内部の空間にシャワー器のヘッド１０から噴射された水がいっぱいになる。ヘッド固定部２０と頭皮接触部３０の内部の空間に水が充填されると、この水を外部に排出しなければならないので、このような機能を排水管４０が行う。もし、排水管４０がない場合は、図３に示すように、人の頭に密着された頭皮接触部３０の中の一部を軽く持ち上げて水が外部に排出されるようにしなければならないので、このような手間をなくすために排水管４０を形成させる。
【００２４】
ここで、上記のヘッド固定部２０に排水管４０を備えていない場合には、図４に示すように、頭皮接触部３０の一側面に排水溝３１を形成させることもできる。
【００２５】
上記の排水管４０と排水溝３１は頭を洗浄している人々に水が跳ねないことができる最適な位置を選択して形成させる。そして、場合によっては、上記の排水管４０を上記の頭皮接触部３０に形成させることもできる。
【００２６】
一方、本考案によるシャワー器の付着キャップユニットは弾性突起５０または接触突起３２をさらに含めて構成されることもできる。
【００２７】
上記の弾性突起５０は図８に示すように上記の噴射ホール１１が形成されたシャワー器のヘッド１０の一面に付着される。
【００２８】
上記の接触突起３２は図１ないし図２に示すように上記の頭皮接触部３０の内側面に複数個が互いに離隔されるように形成される。
【００２９】
上記の弾性突起５０や接触突起３２は頭皮接触部３０が頭皮Ａに密着されたときに頭皮接触部３０の内部で頭皮Ａに接触されるため、頭皮Ａをマッサージしたり、頭皮Ａや毛髪に付着された異物を除去することができる。そして、上記の弾性突起５０や接触突起３２は一定の弾性を有する軟質の合成樹脂材で製造することが望ましい。
【００３０】
上記の弾性突起５０や接触突起３２は互いに同一な機能を行うため、弾性突起５０をシャワー器のヘッド１０に付着した場合には接触突起３２は頭皮接触部３０に形成させず、接触突起３２を頭皮接触部３０に形成させた場合には弾性突起５０をシャワー器のヘッド１０に付着しない。
【００３１】
そして、上記の弾性突起５０や接触突起３２を具備しない場合には、回転突起８０を形成させて頭皮Ａをマッサージすることもできる。
【００３２】
したがって、図６または図７に示すように本考案によるシャワー器の付着キャップユニットがシャフト６０とプロペラ７０及び回転突起８０をさらに含めて構成されるようにするものである。
【００３３】
上記のシャフト６０は上記のヘッド固定部２０の内部を横切って設置される。さらに詳しく説明すると、上記のヘッド固定部２０の内部の両側面には互いに対向するように結合片２１がそれぞれ突出形成されて、この二つの結合片２１にシャフト６０の両端がそれぞれ回転できるように設置される。詳述すれば、上記の二つの結合片２１のいずれか一つは上記の排水管４０の内部に設置することもできるし、排水管４０に近いところに設置することもできるが、ここで設置される結合片２１は十字の形（または十字架の形）で形成されてプロペラ７０を回転させた水が容易に排出されるようにすることが望ましい。
【００３４】
上記のプロペラ７０は上記のシャフト６０に設置されるものであって、長さが長いシャフト６０の外周面の中で上記の排水管４０に近いところに設置される。排水管４０に近いところにプロペラ７０を設置した理由は排水管４０を通じて、ヘッド固定部２０と頭皮接触部３０の外部に水が排出される際に、その排出される水の圧力によりプロペラ７０がよりよく回転できるようにすることにより、シャフト６０もプロペラ７０と一緒に回転させるためである。
【００３５】
上記の回転突起８０は上記のシャフト６０に設置されてシャフト６０が回転する際に一緒に回転する。この回転突起８０はシャフト６０の長さ方向に沿って一定の間隔で放射状の形を有するように複数個が設置される。前記のように排水管４０に排出される水の圧力によりプロペラ７０が回転すると、シャフト６０が回転するようになって、シャフト６０が回転すると、回転突起８０も一緒に回転することになる。
【００３６】
上記の頭皮接触部３０を洗浄する人の頭の部分を加圧して押した状態で排水管４０に水が排出されると、回転突起８０が回転しながら人の頭、つまり、頭髪と頭皮の部分を継続的に加圧して異物を除去して、マッサージをすることになる。
【産業上の利用可能性】
【００３７】
ヘア美容室で洗髪サービスの際に目、耳、口などに水や薬品が跳ねないようにするメリットと手でする作業を本考案で代替して用いることが可能である。
【００３８】
一般家庭用では頭皮マッサージの効果と洗髪、一般のシャワー器の効果などを同時に用いることが可能である。
【００３９】
ペットの犬などの洗いにも便利に用いて、多目的に用いることができる。
【符号の説明】
【００４０】
１０：シャワー器のヘッド
１１：噴射ホール
２０：ヘッド固定部
２１：結合片
３０：頭皮接触部
３１：排水溝
３２：接触突起
４０：排水管
４１：ホース
５０：弾性突起
６０：シャフト
７０：プロペラ
８０：回転突起
Ａ：頭皮
【図１】
0003204945.tif 000003
【図２】
0003204945.tif 000004
【図３】
0003204945.tif 000005
【図４】
0003204945.tif 000006
【図５】
0003204945.tif 000007
【図６】
0003204945.tif 000008
【図７】
0003204945.tif 000009
【図８】
0003204945.tif 000010